(57)【要約】【課題】空間の照明環境を簡単に変化させることができる光投影装置を提供する。【解決手段】映像光を投影する光投影装置１００であって、映像光を投影する投影部１１０と、照明装置２００の照明状態を制御するための照明制御用リモコン２０１から照明制御用赤外線信号を受信する照明制御用赤外線信号受信部１２０と、照明制御用赤外線信号受信部１２０で受信した照明制御用赤外線信号を記憶する照明制御用赤外線信号記憶部１３０と、光投影装置１００が映像光についての特定の動作を行うときに、照明制御用赤外線信号記憶部１３０に記憶された照明制御用赤外線信号を照明装置２００に送信する照明制御用赤外線信号送信部１４０とを備える。【選択図】図２
2016225247.tif 000002
【特許請求の範囲】
【請求項１】
映像光を投影する光投影装置であって、
前記映像光を投影する投影部と、
照明装置の照明状態を制御するための照明制御用リモコンから照明制御用赤外線信号を受信する照明制御用赤外線信号受信部と、
前記照明制御用赤外線信号受信部で受信した前記照明制御用赤外線信号を記憶する照明制御用赤外線信号記憶部と、
当該光投影装置が前記映像光についての特定の動作を行うときに、前記照明制御用赤外線信号記憶部に記憶された前記照明制御用赤外線信号を前記照明装置に送信する照明制御用赤外線信号送信部とを備える
光投影装置。
【請求項２】
前記照明制御用赤外線信号送信部は、前記投影部が前記特定の動作として前記映像光を投影するとき又は前記映像光の投影を終了するときに、前記照明制御用赤外線信号記憶部に記憶された前記照明制御用赤外線信号を前記照明装置に送信する
請求項１に記載の光投影装置。
【請求項３】
前記照明制御用赤外線信号記憶部は、複数の前記照明装置の各々に対応する複数の前記照明制御用赤外線信号を記憶し、
前記照明制御用赤外線信号送信部は、当該光投影装置が前記映像光についての特定の動作を行うときに、前記照明制御用赤外線信号記憶部に記憶された前記複数の照明制御用赤外線信号のうち予め設定された照明制御用赤外線信号を送信する
請求項１又は２に記載の光投影装置。
【請求項４】
前記照明制御用赤外線信号送信部は、前記照明制御用赤外線信号記憶部に記憶された前記複数の照明制御用赤外線信号を連続で送信する
請求項３に記載の光投影装置。
【請求項５】
前記映像光として投影するための映像データを外部から入力する映像データ入力部を備え、
前記投影部は、前記映像データ入力部に入力された前記映像データを前記映像光として投影する
請求項１〜４のいずれか１項に記載の光投影装置。
【請求項６】
前記映像データは、動画像データであり、
前記映像データ入力部に入力された前記映像データの再生、停止、一時停止、及び、再生速度の変更のいずれかである映像データの制御指示と、前記照明制御用赤外線信号記憶部に記憶された前記照明制御用赤外線信号とを関連付けて記憶する関連付け記憶部を備え、
前記照明制御用赤外線信号送信部は、前記映像データの制御指示により、当該制御指示に関連付けられた照明制御用赤外線信号を送信する
請求項５に記載の光投影装置。
【請求項７】
前記映像データの制御指示が前記映像データの再生又は再生速度の変更である場合、前記関連付け記憶部は、前記照明制御用赤外線信号が前記照明装置を消灯させる信号であるとして前記映像データの制御指示と前記照明制御用赤外線信号とを関連付けて記憶し、
前記映像データの制御指示が前記映像データの停止又は一時停止である場合、前記関連付け記憶部は、前記照明制御用赤外線信号が前記照明装置を点灯させる信号であるとして前記映像データの制御指示と前記照明制御用赤外線信号とを関連付けて記憶する
請求項６に記載の光投影装置。
【請求項８】
前記映像データ入力部により入力された前記映像データを記憶する映像データ記憶部と、
前記映像データ記憶部に記憶された前記映像データを選択する映像データ選択部とを備え、
前記投影部は、前記映像データ選択部で選択された前記映像データを前記映像光として投影する
請求項６又は７に記載の光投影装置。
【請求項９】
前記映像データの制御指示と前記照明制御用赤外線信号との関連付けを変更する関連付け変更部を備える
請求項６〜８のいずれか１項に記載の光投影装置。
【請求項１０】
前記赤外線信号送信部を複数備える
請求項１〜９のいずれか１項に記載の光投影装置。
【発明の詳細な説明】
【技術分野】
【０００１】
本発明は、光投影装置に関する。
【背景技術】
【０００２】
光を投影することができる光投影装置として、例えば、プロジェクタ等の映像投影装置、又は、スポットライトもしくはシーリングライト等の照明装置が知られている。映像投影装置は、入力された映像データを映像光として投影する。照明装置は、空間を照らすために照明光を投影する。
【０００３】
近年、映像光だけではなく照明光も投影することができる映像投影装置の開発が進められている。一方、照明装置についても、照明光だけではなく映像光も投影することができる照明装置の開発が進められている。例えば、特許文献１には、照明機能と映像投影機能とを有する照明器具が開示されている。
【先行技術文献】
【特許文献】
【０００４】
【特許文献１】特開２００６−１２７８４５号公報
【発明の概要】
【発明が解決しようとする課題】
【０００５】
ところで、映像投影装置が配置される空間には、照明装置が別途設置されている場合がある。例えば、住居又は店舗等の屋内空間には、シーリングライト、スポットライト又はダウンライト等が設置されている。
【０００６】
照明装置が設置された空間で映像光を投影させる際、ユーザ（観察者）にとって見やすい映像光となるように、照明装置を消灯させた方が好ましい場合がある。この場合、照明装置の電源をＯＦＦにする操作が必要になる。例えば、ユーザは、照明制御用リモコン又は壁スイッチを操作して電源ＯＦＦボタンを押下することで照明装置を消灯させる。
【０００７】
一方、映像光を投影しない場合には照明装置を点灯させておきたい場合がある。この場合、ユーザは、照明制御用リモコン又は壁スイッチを操作して電源ＯＮボタンを押下することで照明装置を点灯させる。
【０００８】
このようにこれまでは、映像投影装置及び照明装置が設置された空間において映像投影装置を動作させる際、映像光を投影させたり投影させなかったりするたびに、ユーザがわざわざ照明装置のＯＮ／ＯＦＦ制御を行わなければならならないという課題がある。つまり、映像投影装置が設置された空間の照明環境を、映像投影装置の動作に応じて簡単に変化させることが難しいという課題があった。
【０００９】
本発明は、このような課題を解決するためになされたものであり、光投影装置が設置された空間の照明環境を簡単に変化させることができる光投影装置を提供することを目的とする。
【課題を解決するための手段】
【００１０】
上記目的を達成するために、本発明に係る光投影装置の一態様は、映像光を投影する光投影装置であって、前記映像光を投影する投影部と、照明装置の照明状態を制御するための照明制御用リモコンから照明制御用赤外線信号を受信する照明制御用赤外線信号受信部と、前記照明制御用赤外線信号受信部で受信した前記照明制御用赤外線信号を記憶する照明制御用赤外線信号記憶部と、当該光投影装置が前記映像光についての特定の動作を行うときに、前記照明制御用赤外線信号記憶部に記憶された前記照明制御用赤外線信号を前記照明装置に送信する照明制御用赤外線信号送信部とを備える。
【発明の効果】
【００１１】
本発明によれば、光投影装置が映像光についての特定の動作を行うときに、光投影装置が設置された空間の照明環境を光投影装置の動作に応じて簡単に変化させることができる。
【図面の簡単な説明】
【００１２】
【図１】実施の形態１に係る照明システムの構成を模式的に示す図である。
【図２】実施の形態１に係る照明システムの構成を示すブロック図である。
【図３Ａ】実施の形態１に係る照明システムにおける光投影装置の設定モードのフローを示すフローチャートである。
【図３Ｂ】実施の形態１に係る照明システムにおける光投影装置の設定モードを説明するためのブロック図である。
【図４Ａ】実施の形態１に係る照明システムにおける光投影装置の動作連動モードのフローを示すフローチャートである。
【図４Ｂ】実施の形態１に係る照明システムにおける光投影装置の動作連動モードを説明するためのブロック図である。
【図５】実施の形態１の変形例に係る照明システムの構成を示すブロック図である。
【図６】実施の形態２に係る照明システムの構成を示すブロック図である。
【図７】実施の形態２に係る照明システムにおける光投影装置に記憶された、映像データの制御指示と照明制御用赤外線信号との関連付けの内容を示す図である。
【図８Ａ】実施の形態２に係る照明システムにおける光投影装置の設定モードのフローを示すフローチャートである。
【図８Ｂ】実施の形態２に係る照明システムにおける光投影装置の設定モードを説明するためのブロック図である。
【図９Ａ】実施の形態２に係る照明システムにおける光投影装置の動作連動モードのフローを示すフローチャートである。
【図９Ｂ】実施の形態２に係る照明システムにおける光投影装置の動作連動モードを説明するためのブロック図である。
【図１０】実施の形態２の変形例１に係る照明システムの構成を示すブロック図である。
【図１１】実施の形態２の変形例２に係る照明システムの構成を示すブロック図である。
【発明を実施するための形態】
【００１３】
以下、本発明の実施の形態について説明する。なお、以下に説明する実施の形態は、いずれも本発明の好ましい一具体例を示すものである。したがって、以下の実施の形態で示される、数値、構成要素、構成要素の配置位置及び接続形態、並びに、ステップ及びステップの順序等は、一例であって本発明を限定する主旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。なお、各図において、実質的に同一の構成に対しては同一の符号を付しており、重複する説明は省略又は簡略化する。
【００１５】
（実施の形態１）
［照明システムの構成］
実施の形態１に係る照明システム１の構成について、図１及び図２を用いて説明する。図１は、実施の形態１に係る照明システム１の構成を模式的に示す図である。図２は、同照明システム１の構成を示すブロック図である。
【００１６】
図１及び図２に示すように、照明システム１は、映像光を投影（投射）する光投影装置１００と、照明光を投影（投射）する照明装置２００とを有する。
【００１７】
照明システム１において光投影装置１００は照明装置２００が設置された空間内に配置されており、光投影装置１００によって映像光が投影される領域には照明装置２００からの照明光が照射される。つまり、光投影装置１００による映像光の投影エリアと照明装置２００による照明光の照明エリアとが重複している。
【００１８】
なお、照明装置２００が設置される空間は、例えば住居又は店舗等の屋内空間であるが、屋外空間であってもよい。つまり、屋外に光投影装置１００を設置して映像光を投影してもよい。
【００１９】
図１に示すように、照明装置２００は、照明制御用リモコン２０１によって照明状態が制御される。照明制御用リモコン２０１は、例えば照明装置２００を制御するためのワイヤレスリモコンである。ユーザは、照明制御用リモコン２０１を操作することで照明装置２００の照明状態を制御することができる。
【００２０】
具体的には、照明制御用リモコン２０１を操作することによって、照明装置２００の点灯（電源ＯＮ）と消灯（電源ＯＦＦ）とを切り替えたり、照明装置２００を調光又は調色したりすることができる。
【００２１】
なお、照明装置２００の照明状態は、照明制御用リモコン２０１ではなく壁スイッチ（不図示）を操作することでも制御可能となっていてもよい。
【００２２】
このように構成される照明システム１では、光投影装置１００の動作に連動して照明装置２００が動作する。具体的には、照明装置２００の照明状態を制御するための制御信号を予め光投影装置１００に記憶させておき、光投影装置１００が映像光についての動作を行う際に、予め記憶しておいた制御信号を光投影装置１００から送信することで照明装置２００の照明状態を制御する。
【００２３】
以下、光投影装置１００及び照明装置２００の構成及び動作について詳細に説明する。
【００２４】
［光投影装置］
図２に示すように、光投影装置１００は、投影部１１０と、照明制御用赤外線信号受信部１２０と、照明制御用赤外線信号記憶部１３０と、照明制御用赤外線信号送信部１４０と、映像データ入力部１５０と、制御部１６０とを備える。
【００２５】
投影部１１０は、光投影装置１００が設置された空間内に映像光を投影する。本実施の形態において、光投影装置１００から投影される映像光は、光投影装置１００に入力される映像データに対応する映像（画像）である。例えば、投影部１１０は、映像データ入力部１５０に入力された映像データを映像光として投影面に投影する。なお、投影部１１０から投影される映像光は、外部から入力される映像データによるものだけではなく、光投影装置１００内の記憶装置に記憶された映像データによるものであってもよい。また、本明細書において、映像とは、静止画像及び動画像のいずれであってもよい。
【００２６】
投影部１１０は、半導体レーザやＬＥＤ、ランプ等の光源からなる光源部１１１と、レンズやミラー等の光学部品からなる光学系１１２と、液晶パネル又はＤＭＤ等からなる表示素子１１３と、投射レンズからなる投射部１１４とを有する。
【００２７】
本実施の形態における投影部１１０は、映像光を投影する機能を有するだけではなく、照明光を投影する機能も有する。これにより、光投影装置１００は、投影部１１０から投影される映像光によって映像演出を行うだけではなく、投影部１１０から投影される照明光によって照明演出を行うこともできる。なお、投影部１１０において、照明光用の光源と映像光用の光源とは同じであってもよいし異なっていてもよい。また、投影部１１０から投影される照明光は、例えば白色光であるが、これに限るものではない。
【００２８】
照明制御用赤外線信号受信部１２０（第１の赤外線信号受信部）は、照明制御用リモコン２０１から、赤外線によって照明装置２００の照明状態を制御するための制御信号（照明制御用赤外線信号）を受信する。照明制御用赤外線信号受信部１２０は、例えば、赤外線受信回路によって構成された赤外線受信モジュールである。
【００２９】
照明制御用赤外線信号記憶部１３０は、照明制御用赤外線信号受信部１２０で受信した照明制御用赤外線信号を記憶する。具体的には、照明制御用赤外線信号記憶部１３０は、照明制御用赤外線信号を数値化して記憶する。
【００３０】
照明制御用赤外線信号記憶部１３０は、例えば、ＳＲＡＭ又はＤＲＡＭ等の揮発性の記憶装置、あるいは、磁気ディスク、光ディスク、光磁気ディスク又は半導体メモリ等の不揮発性の記憶装置である。
【００３１】
照明制御用赤外線信号送信部１４０（第１の赤外線信号送信部）は、照明制御用赤外線信号記憶部１３０に記憶された照明制御用赤外線信号を照明装置２００に送信する。照明制御用赤外線信号送信部１４０は、例えば、赤外線ＬＥＤを有する赤外線送信回路によって構成された赤外線送信モジュールである。
【００３２】
本実施の形態において、照明制御用赤外線信号送信部１４０は、光投影装置１００が映像光についての特定の動作を行うときに、照明制御用赤外線信号記憶部１３０に記憶された照明制御用赤外線信号を送信する。具体的には、照明制御用赤外線信号送信部１４０は、この特定の動作として投影部１１０が映像光を投影するとき又は映像光の投影を終了するとき等に、照明制御用赤外線信号記憶部１３０に記憶された照明制御用赤外線信号を送信する。
【００３３】
映像データ入力部１５０は、投影部１１０が映像光として投影するための映像データを外部から入力する。映像データ入力部１５０は、例えば、映像データが記録されたＳＤカード等のメモリカードを挿入するためのカードスロット、映像データを無線通信により受け付けるための無線通信モジュール、又は、映像データを受け取るための通信ケーブルを接続したり映像データが記録されたＵＳＢメモリを接続したりするための外部接続端子（ＨＤＭＩ（登録商標）端子、ＵＳＢ端子等）等である。
【００３４】
制御部１６０は、光投影装置１００における制御処理を行うための処理部である。制御部１６０は、例えば、映像データ入力部１５０に入力された映像データを投影部１１０に投影光として出力させたり、照明制御用赤外線信号受信部１２０で受信した照明制御用赤外線信号を照明制御用赤外線信号記憶部１３０に記憶させたりする。
【００３５】
また、制御部１６０は、照明制御用赤外線信号記憶部１３０に記憶させた照明制御用赤外線信号を照明制御用赤外線信号送信部１４０に送信させる。本実施の形態において、制御部１６０は、光投影装置１００が映像光についての特定の動作を行うときに、照明制御用赤外線信号記憶部１３０に記憶させた照明制御用赤外線信号を照明制御用赤外線信号送信部１４０に送信させる。
【００３６】
なお、制御部１６０による制御処理はコンピュータによって実行することができる。例えば、コンピュータが、プロセッサ（ＣＰＵ）、メモリ及び入出力回路等のハードウェア資源を用いてプログラムを実行することによって、上記の各制御処理を実行する。
【００３７】
このように、光投影装置１００は、学習リモコン機能を搭載しており、照明制御用リモコン２０１から送信される照明制御用赤外線信号を予め記憶しておき、光投影装置１００の特定の動作に合わせて照明制御用赤外線信号を送信する。
【００３８】
［照明装置］
照明装置２００は、例えば、室内の天井に設置されたシーリング等の照明器具である。照明装置２００の照明光は、例えば白色光であるが、白色光に限るものではない。
【００３９】
照明装置２００は、照明制御用リモコン２０１から送信される赤外線信号を受信することで照明状態が制御される。図２に示すように、照明装置２００は、発光部２１０と、照明制御用赤外線信号受信部２２０とを有する。
【００４０】
発光部２１０は、照明光を照射する。発光部２１０は、ＬＥＤやランプ等の光源及び光源の発光状態を制御するための駆動回路等を有する。発光部２１０は、照明制御用赤外線信号受信部２２０で受信した照明制御用赤外線信号又は壁スイッチからの制御信号によって点灯したり消灯したりする。
【００４１】
なお、発光部２１０は、点消灯機能だけではなく、調光機能及び調色機能を有していてもよい。この場合、発光部２１０からの照明光は、照明制御用赤外線信号受信部２２０で受信した照明制御用赤外線信号又は壁スイッチからの制御信号によって、光出力の大きさが変化したり色度が変化したりする。
【００４２】
照明制御用赤外線信号受信部２２０（第２の赤外線信号受信部）は、照明制御用リモコン２０１から照明制御用赤外線信号を受信する。したがって、図示しないが、照明制御用リモコン２０１は、ユーザの操作により照明制御用赤外線信号を送信するための照明制御用赤外線信号送信部（第２の赤外線信号送信部）を有する。
【００４３】
また、照明制御用赤外線信号受信部２２０は、照明制御用リモコン２０１からの照明制御用赤外線信号を受信するだけではなく、光投影装置１００からの照明制御用赤外線信号も受信する。したがって、発光部２１０は、照明制御用リモコン２０１から送信される照明制御赤外線信号によって点灯したり消灯したりするだけではなく、光投影装置１００から送信される照明制御用赤外線信号によっても点灯したり消灯したりする。
【００４４】
［照明システムの動作］
次に、実施の形態１に係る照明システム１の動作について、図３Ａ、図３Ｂ、図４Ａ及び図４Ｂを用いて説明する。図３Ａは、実施の形態１に係る照明システム１における光投影装置１００の設定モードのフローを示すフローチャートであり、図３Ｂは、同設定モードを説明するためのブロック図である。図４Ａは、同照明システム１における光投影装置１００の動作連動モードのフローを示すフローチャートであり、図４Ｂは、同動作連動モードを説明するためのブロック図である。
【００４５】
まず、照明システム１では、照明装置２００の照明状態を制御するための制御信号（照明制御用赤外線信号）と光投影装置１００の映像光による特定の動作とを対応付けるための設定を予め行う（設定モード）。
【００４６】
具体的には、図３Ａ及び図３Ｂに示すように、照明制御用リモコン２０１を用いて照明制御用赤外線信号を光投影装置１００に送信することで、光投影装置１００は、照明制御用赤外線信号を受信する（Ｓ１１１）。例えば、ユーザが照明制御用リモコン２０１を操作することで照明制御用リモコン２０１から所定の照明制御用赤外線信号を送信する。これにより、光投影装置１００の照明制御用赤外線信号受信部１２０に照明制御用リモコン２０１から送信される照明制御用赤外線信号を受信させる。
【００４７】
次いで、光投影装置１００は、受信した照明制御用赤外線信号を記憶する（Ｓ１１２）。例えば、照明制御用赤外線信号受信部１２０で受信した照明制御用リモコン２０１からの照明制御用赤外線信号は、光投影装置１００の照明制御用赤外線信号記憶部１３０に記憶される。
【００４８】
このように、設定モードでは、照明制御用リモコン２０１を利用して照明装置２００を制御するための照明制御用赤外線信号を光投影装置１００に送信して、この照明制御用赤外線信号を光投影装置１００に予め記憶させておく。
【００４９】
なお、照明制御用赤外線信号記憶部１３０に予め記憶しておく所定の照明制御用赤外線信号は、一例として、照明装置２００を消灯させる消灯制御信号、及び、照明装置２００を点灯させる点灯制御信号である。
【００５０】
設定モードが終了した後は動作連動モードに移行し、照明システム１では、光投影装置１００の特定の動作に連動して照明装置２００が動作することになる。
【００５１】
具体的には、図４Ａ及び図４Ｂに示すように、光投影装置１００に映像データが入力されると（Ｓ１２１）、光投影装置１００は、この映像データに対応する映像光を投影するとともに、予め記憶しておいた照明制御用赤外線信号を送信する（Ｓ１２２）。例えば、ユーザが光投影装置１００の映像データ入力部１５０に映像データを入力すると、投影部１１０から映像データに対応した映像光（映像）が投影されるとともに、照明制御用赤外線信号記憶部１３０に記憶された照明制御用赤外線信号が照明制御用赤外線信号送信部１４０から送信される。
【００５２】
本実施の形態では、映像データ入力部１５０に映像データが入力されると、照明制御用赤外線信号送信部１４０からは、照明制御用赤外線信号記憶部１３０に記憶された照明制御用赤外線信号として照明装置２００を消灯させる消灯制御信号が送信するように設定されている。したがって、光投影装置１００に映像データが入力されると、光投影装置１００から映像データに対応する映像光（映像）が投影されるとともに、光投影装置１００からは消灯制御信号が送信される。
【００５３】
この場合、光投影装置１００から送信された消灯制御信号は、照明装置２００の照明制御用赤外線信号受信部２２０で受信される。この結果、照明装置２００（発光部２１０）が点灯している場合には、照明装置２００は消灯制御信号によって自動的に消灯して消灯状態となる。
【００５４】
また、図示しないが、光投影装置１００が映像光（映像）の投影を終了するときにも、照明制御用赤外線信号記憶部１３０に予め記憶しておいた照明制御用赤外線信号を送信してもよい。本実施の形態では、光投影装置１００が映像光（映像）の投影を終了するときに、照明制御用赤外線信号送信部１４０から、照明制御用赤外線信号として照明装置２００を点灯させる点灯制御信号を送信するように設定されている。
【００５５】
この場合、照明装置２００の照明制御用赤外線信号受信部２２０で光投影装置１００からの消灯制御信号が受信されて、照明装置２００（発光部２１０）が消灯している場合には、照明装置２００は点灯制御信号によって自動的に点灯して点灯状態となる。
【００５６】
このように、照明装置２００は、光投影装置１００から送信される照明制御用赤外線信号によって照明状態が制御されることになる。つまり、照明装置２００の照明状態は、照明制御用リモコン２０１によって制御されるのではなく、光投影装置１００によって自動的に制御される。
【００５７】
［まとめ］
以上、本実施の形態に係る照明システム１及び光投影装置１００によれば、光投影装置１００が映像光についての特定の動作を行うときに、照明制御用赤外線信号記憶部１３０に記憶された照明制御用赤外線信号を照明装置２００に送信する。
【００５８】
本実施の形態では、光投影装置１００は、特定の動作として光投影装置１００が映像光（映像）を投影するときに、照明装置２００を消灯させる消灯制御信号を送信している。これにより、光投影装置１００によって映像光を投影する際、照明制御用リモコン２０１を操作することなく照明装置２００を消灯させることができる。この結果、光投影装置１００から投影される映像光が照明装置２００の照明光と重なって見にくくなることを回避でき、ユーザは見やすい映像を見ることができる。
【００５９】
また、本実施の形態では、光投影装置１００は、特定の動作として光投影装置１００が映像光（映像）の投影を終了するときに、照明装置２００を点灯させる点灯制御信号を送信している。これにより、光投影装置１００による映像光の投影を終了する際、照明制御用リモコン２０１を操作することなく照明装置２００を点灯させることができる。
【００６０】
このように、本実施の形態では、光投影装置１００が映像光についての特定の動作を行うときに、ユーザに煩わしい照明装置２００のＯＮ／ＯＦＦ制御を行わせることなく、光投影装置１００が設置された空間の照明環境を光投影装置１００の動作に応じて簡単に変化させることができる。
【００６１】
なお、本実施の形態において、光投影装置１００（照明制御用赤外線信号記憶部１３０）に予め記憶させておく照明制御用赤外線信号は、消灯制御信号及び点灯制御信号としたが、これらに限るものではない。
【００６２】
例えば、光投影装置１００に予め記憶させておく照明制御用赤外線信号は、照明装置２００の光出力を小さくしたり大きくしたりするような調光信号であってもよい。これにより、映像光の投影に連動させて、光投影装置１００が設置された空間の明るさを抑えたりより明るくしたりできる。
【００６３】
また、光投影装置１００に予め記憶させておく照明制御用赤外線信号は、照明装置２００の色度を変更させる調色信号であってもよい。これにより、映像光の投影に連動させて、光投影装置１００が設置された空間の照明演出を簡単に行うことができる。
【００６４】
（実施の形態１の変形例）
次に、実施の形態１の変形例について、図５を用いて説明する。図５は、実施の形態１の変形例に係る照明システム１Ａの構成を示すブロック図である。
【００６５】
上述の図２に示す実施の形態１に係る照明システム１は、１つの照明装置２００を備えていたが、図５に示すように、本変形例に係る照明システム１Ａは、複数の照明装置２００を備える。つまり、本変形例における照明システム１Ａでは、１つの光投影装置１００の動作に連動して複数の照明装置２００が動作する。
【００６６】
本変形例における光投影装置１００において、照明制御用赤外線信号受信部１２０は、複数の照明装置２００の各々の照明制御用リモコン２０１（不図示）から、各照明装置２００の照明状態を制御するための照明制御用赤外線信号を受信する。したがって、本変形例では、照明制御用赤外線信号記憶部１３０は、複数の照明装置２００の各々に対応する複数の照明制御用赤外線信号を記憶する。
【００６７】
また、本変形例でも、照明制御用赤外線信号送信部１４０は、光投影装置１００が映像光についての特定の動作を行うときに、照明制御用赤外線信号記憶部１３０に記憶された照明制御用赤外線信号を送信する。このとき、照明制御用赤外線信号送信部１４０は、照明制御用赤外線信号記憶部１３０に記憶された複数の照明装置２００の各々に対応する複数の照明制御用赤外線信号のうち予め設定された照明制御用赤外線信号を送信してもよい。つまり、光投影装置１００の特定の動作と複数の照明装置２００のうちのいずれかを対応させて、複数の照明制御用赤外線信号のうち予め設定された照明制御用赤外線信を送信するようにしてもよい。
【００６８】
さらに、この場合、照明制御用赤外線信号送信部１４０は、照明制御用赤外線信号記憶部１３０に記憶された複数の照明制御用赤外線信号を連続で送信してもよい。
【００６９】
以上、本変形例でも、光投影装置１００が映像光についての特定の動作を行うときに、光投影装置１００は、照明制御用赤外線信号記憶部１３０に記憶された照明制御用赤外線信号を照明装置２００に送信している。
【００７０】
例えば、光投影装置１００は、実施の形態１と同様に、特定の動作として光投影装置１００が映像光（映像）を投影するときには消灯制御信号を送信し、特定の動作として光投影装置１００が映像光（映像）の投影を終了するときには点灯制御信号を送信する。
【００７１】
これにより、実施の形態１と同様に、光投影装置１００が設置された空間の照明環境を光投影装置１００の動作に応じて簡単に変化させることができるという効果が得られる。
【００７２】
さらに、本変形例では、照明制御用赤外線信号記憶部１３０には、複数の照明装置２００の各々に対応する複数の前記照明制御用赤外線信号が記憶されている。そして、光投影装置１００が映像光についての特定の動作を行うときに、光投影装置１００は、これら複数の照明制御用赤外線信号のうち予め設定された照明制御用赤外線信号を送信している。
【００７３】
これにより、１つの光投影装置１００の動作に連動して複数の照明装置２００を動作させることができる。例えば、光投影装置１００が映像光を投影する際に、複数の照明装置２００の照明状態を自動で制御することができる。
【００７４】
さらに、本変形例では、照明制御用赤外線信号記憶部１３０に記憶された複数の照明制御用赤外線信号が連続で送信されている。
【００７５】
これにより、複数の照明装置２００の各々の照明状態を同時に制御することができる。
【００７６】
（実施の形態２）
［照明システムの構成］
次に、実施の形態２に係る照明システム２の構成について、図６を用いて説明する。図６は、実施の形態２に係る照明システム２の構成を示すブロック図である。
【００７７】
本実施の形態に係る照明システム２は、実施の形態１と同様に、映像光を投影（投射）する光投影装置３００と、照明装置２００とを有する。
【００７８】
光投影装置３００は、投影部１１０と、照明制御用赤外線信号受信部１２０と、照明制御用赤外線信号記憶部１３０と、照明制御用赤外線信号送信部１４０と、映像データ入力部１５０と、制御部１６０と、映像データ制御指示受付部１７０と、関連付け記憶部１８０とを備える。つまり、光投影装置３００は、実施の形態１における光投影装置１００に対して、さらに、映像データ制御指示受付部１７０と関連付け記憶部１８０とを備える構成になっている。
【００７９】
映像データ制御指示受付部１７０は、映像データ入力部１５０に入力された映像データの制御指示をユーザから受け付ける。例えば、ユーザは、光投影装置３００を制御するための投影光制御リモコンを用いて、映像データの制御指示信号を映像データ制御指示受付部１７０に送信する。
【００８０】
本実施の形態において、映像データ入力部１５０に入力される映像データは動画像データである。したがって、映像データの制御指示（制御指示内容）は、例えば、映像データの再生、停止、一時停止、及び、再生速度の変更のいずれかである。なお、映像データの制御指示は、これらに限るものではない。
【００８１】
関連付け記憶部１８０は、この映像データの制御指示と、照明制御用赤外線信号記憶部１３０に記憶された照明制御用赤外線信号とを関連付けて記憶する。関連付け記憶部１８０は、例えば図７に示すように映像データの制御指示と照明制御用赤外線信号とを関連付けて記憶している。関連付け記憶部１８０は、揮発性又は不揮発性の記憶装置である。
【００８２】
図７に示すように、本実施の形態では、映像データの制御指示によってユーザが映像光を視聴する場合には、映像光が照明光の影響を受けないように、照明制御用赤外線信号が照明装置２００を消灯させる信号（消灯制御信号）であるとして映像データの制御指示と照明制御用赤外線信号とを関連付けている。
【００８３】
一方、映像データの制御指示によってユーザが映像光を視聴しない場合には、照明制御用赤外線信号が照明装置２００を点灯させる信号（点灯制御信号）であるとして映像データの制御指示と照明制御用赤外線信号とを関連付けている。
【００８４】
具体的には、映像データの制御指示が映像データの再生又は映像データの再生速度の変更である場合、関連付け記憶部１８０は、照明制御用赤外線信号が消灯制御信号であるとして映像データの制御指示と照明制御用赤外線信号とを関連付けて記憶している。
【００８５】
また、映像データの制御指示が映像データの停止、一時停止、早送り又は早戻しである場合、関連付け記憶部１８０は、照明制御用赤外線信号が点灯制御信号であるとして映像データの制御指示と照明制御用赤外線信号とを関連付けて記憶している。
【００８６】
照明制御用赤外線信号送信部１４０は、実施の形態１と同様に、照明制御用赤外線信号記憶部１３０に記憶された照明制御用赤外線信号を照明装置２００に送信するが、本実施の形態では、映像データの制御指示により、当該制御指示に関連付けられた照明制御用赤外線信号を送信する。
【００８７】
なお、本実施の形態において、制御部１６０は、さらに、照明制御用赤外線信号受信部１２０で受信した照明制御用赤外線信号を、映像データの制御指示と関連付けて関連付け記憶部１８０に記憶させている。また、制御部１６０は、関連付け記憶部１８０に記憶された映像データの制御指示と照明制御用赤外線信号との関連付けに従って、照明制御用赤外線信号記憶部１３０に記憶させた照明制御用赤外線信号を照明制御用赤外線信号送信部１４０に送信させる。
【００８８】
［照明システムの動作］
次に、実施の形態２に係る照明システム２の動作について、図８Ａ、図８Ｂ、図９Ａ及び図９Ｂを用いて説明する。図８Ａは、実施の形態２に係る照明システム２における光投影装置３００の設定モードのフローを示すフローチャートであり、図８Ｂは、同設定モードを説明するためのブロック図である。図９Ａは、同照明システム２における光投影装置３００の動作連動モードのフローを示すフローチャートであり、図９Ｂは、同動作連動モードを説明するためのブロック図である。
【００８９】
具体的には、図８Ａ及び図８Ｂに示すように、実施の形態１と同様に、照明制御用リモコン２０１を用いて照明制御用赤外線信号を光投影装置３００に送信することで、光投影装置３００は、照明制御用赤外線信号を受信する（Ｓ２１１）。次いで、光投影装置３００は、受信した照明制御用赤外線信号を記憶する（Ｓ２１２）。
【００９０】
このとき、本実施の形態では、光投影装置３００は、受信した照明制御用赤外線信号を映像データの制御指示と関連付けて記憶する（Ｓ２１３）。例えば、照明制御用赤外線信号受信部１２０で受信した照明制御用リモコン２０１からの照明制御用赤外線信号を、映像データの再生、停止、一時停止、及び、再生速度の変更のいずれかである映像データの制御指示と関連付けて関連付け記憶部１８０に記憶させる。本実施の形態では、上述のように、図７に示される関係で映像データの制御指示と照明制御用赤外線信号とを関連付けて記憶させている。
【００９１】
このように、設定モードでは、照明制御用リモコン２０１を利用して照明装置２００を制御するための照明制御用赤外線信号を光投影装置３００に送信して、光投影装置３００に照明制御用赤外線信号を予め記憶させておくとともに、映像データの制御指示と照明制御用赤外線信号とを関連付けて記憶させておく。
【００９２】
なお、本実施の形態では、照明制御用リモコン２０１からの照明制御用赤外線信号を一旦照明制御用赤外線信号記憶部１３０に記憶させてから、照明制御用赤外線信号と映像データの制御指示との関連付けの内容を関連付け記憶部１８０に記憶させたが、これに限らない。つまり、照明制御用リモコン２０１からの照明制御用赤外線信号を照明制御用赤外線信号記憶部１３０に記憶させることなく、照明制御用赤外線信号と映像データの制御指示との関連付けの内容を関連付け記憶部１８０に記憶させてもよい。この場合、図８Ａにおいて、受信した照明制御用赤外線信号を記憶するステップ（Ｓ２１２）が省略される。
【００９３】
設定モードが終了した後は動作連動モードに移行し、実施の形態１と同様に、照明システム２では、光投影装置３００の特定の動作に連動して照明装置２００が動作することになる。
【００９４】
具体的には、図９Ａ及び図９Ｂに示すように、まず、光投影装置３００に映像データが入力され（Ｓ２２１）、光投影装置３００が映像データの制御指示を受け付ける（Ｓ２２２）。例えば、光投影装置３００の映像データ入力部１５０に映像データを入力し、光投影装置３００によって投影される映像光（映像データ）の制御を行うための制御指示（制御指示信号）を映像データ制御指示受付部１７０で受け付ける。
【００９５】
本実施の形態では、図９Ｂに示すように、投影光制御リモコン３０１を用いて、光投影装置３００によって投影される映像光（映像データ）の制御指示を光投影装置３００に送信する。これにより、投影光制御リモコン３０１からの映像データの制御指示は、映像データ制御指示受付部１７０で受け付けられる。
【００９６】
投影光制御リモコン３０１は、例えば、動画像である映像データ（映像光）を再生するための再生ボタン３０１ａ、映像データの再生速度を変更（例えば通常の１．３倍で再生するように変更）するための再生速度変更ボタン３０１ｂ、映像データの投影を一時停止する一時停止ボタン３０１ｃ、映像データの投影を停止する停止ボタン３０１ｄ、映像データを早送りする早送りボタン３０１ｅ、及び、映像データを早戻しする早戻しボタン３０１ｆを有する。
【００９７】
なお、映像データの制御指示の光投影装置３００への入力は、投影光制御リモコン３０１を用いて行うことに限るものではなく、光投影装置３００の本体に設けられた操作ボタンを操作することで行ってもよい。
【００９８】
光投影装置３００は、映像データの制御指示を受け付けると、受け付けた映像データの制御指示に従って映像データ（映像光）を制御するとともに、映像データの制御指示に関連付けられて予め記憶された照明制御用赤外線信号を送信する（Ｓ２２３）。
【００９９】
例えば、映像データ制御指示受付部１７０で受けた映像データの制御指示に従って、投影される映像データが制御されるともに、映像データの制御指示に関連付けて予め関連付け記憶部１８０に記憶された照明制御用赤外線信号が照明制御用赤外線信号送信部１４０から送信される。
【０１００】
本実施の形態では、図７に示される関係で映像データの制御指示と照明制御用赤外線信号とが関連付けられている。したがって、投影光制御リモコン３０１からの映像データの制御指示が映像データの再生又は映像データの再生速度の変更である場合、照明制御用赤外線信号送信部１４０は、照明装置２００を消灯させる信号（消灯制御信号）を送信する。
【０１０１】
この場合、光投影装置３００から送信された消灯制御信号は、照明装置２００の照明制御用赤外線信号受信部２２０で受信される。この結果、照明装置２００（発光部２１０）が点灯している場合には、照明装置２００は消灯制御信号によって自動的に消灯して消灯状態となる。
【０１０２】
一方、投影光制御リモコン３０１からの映像データの制御指示が映像データの停止、一時停止、早送り又は早戻しである場合、照明制御用赤外線信号送信部１４０は、照明装置２００を点灯させる信号（点灯制御信号）を送信する。
【０１０３】
この場合、光投影装置３００から送信された点灯制御信号は、照明装置２００の照明制御用赤外線信号受信部２２０で受信される。この結果、照明装置２００（発光部２１０）が消灯している場合には、照明装置２００は点灯制御信号によって自動的に点灯して点灯状態となる。
【０１０４】
このように、本実施の形態でも、照明装置２００は、光投影装置３００から送信される照明制御用赤外線信号によって照明状態が制御されることになる。つまり、照明装置２００の照明状態は、照明制御用リモコン２０１によって制御されるのではなく、光投影装置３００によって自動的に制御される。
【０１０５】
［まとめ］
以上、本実施の形態に係る照明システム２及び光投影装置３００によれば、実施の形態１と同様に、光投影装置３００が映像光についての特定の動作を行うときに、照明制御用赤外線信号記憶部１３０に記憶された照明制御用赤外線信号を照明装置２００に送信する。
【０１０６】
本実施の形態では、映像データの制御指示と照明制御用赤外線信号とを予め関連付けて記憶させておいて、ユーザからの映像データの制御指示に従って映像光（動画像）が制御されるときに、光投影装置３００は、照明装置２００を消灯又は点灯させる制御信号を送信している。つまり、ユーザからの映像データの制御指示に連動させて照明装置２００を消灯させたり点灯させたりしている。これにより、ユーザは、光投影装置３００に対して映像データの制御指示を行うだけで、照明制御用リモコン２０１を操作することなく照明装置２００を自動的に消灯させたり点灯させたりすることができる。
【０１０７】
このように、本実施の形態では、光投影装置３００が映像光についての特定の動作を行うときに、ユーザに煩わしい照明装置２００のＯＮ／ＯＦＦ制御を行わせることなく、光投影装置３００が設置された空間の照明環境を光投影装置３００の動作に応じて簡単に変化させることができる。
【０１０８】
なお、本実施の形態でも、光投影装置３００から送信される照明制御用赤外線信号は、消灯制御信号及び点灯制御信号に限るものではなく、照明調光信号又は調色信号であってもよい。
【０１０９】
（実施の形態２の変形例１）
次に、実施の形態２の変形例１について、図１０を用いて説明する。図１０は、実施の形態２の変形例１に係る照明システム２Ａの構成を示すブロック図である。
【０１１０】
図１０に示すように、本変形例における光投影装置３００Ａは、実施の形態２における光投影装置３００に対して、映像データ記憶部１９０と、映像データ選択部１６１とを備える構成になっている。
【０１１１】
映像データ記憶部１９０は、映像データ入力部１５０により入力された映像データを記憶する。映像データ記憶部１９０は、例えば、複数の映像データを記憶する。映像データ記憶部は、揮発性又は不揮発性の記憶装置である。
【０１１２】
映像データ選択部１６１は、映像データ記憶部１９０に記憶された映像データを選択する。映像データ選択部１６１は、例えば、ユーザからの制御指示により、映像データ記憶部１９０に記憶された複数の映像データの中から投影する映像データを選択する。
【０１１３】
本実施の形態において、投影部１１０は、映像データ選択部１６１で選択された映像データを映像光として投影する。
【０１１４】
以上、本変形例における光投影装置３００Ａは、実施の形態２における光投影装置３００と同様の構成を備えるので、実施の形態２と同様の効果が得られる。つまり、光投影装置３００Ａが設置された空間の照明環境を光投影装置３００Ａの動作に応じて簡単に変化させることができる。
【０１１５】
さらに、本変形例における光投影装置３００Ａは、映像データ記憶部１９０と映像データ選択部１６１とを備えている。
【０１１６】
これにより、ユーザは、映像データ記憶部１９０に記憶された複数の映像データの中から投影する所望の映像データを選択することができる。
【０１１７】
（実施の形態２の変形例２）
次に、実施の形態２の変形例２について、図１１を用いて説明する。図１１は、実施の形態２の変形例２に係る照明システム２Ｂの構成を示すブロック図である。
【０１１８】
図１１に示すように、本変形例における光投影装置３００Ｂは、実施の形態２における光投影装置３００に対して、関連付け変更部１６２を備える構成になっている。
【０１１９】
関連付け変更部１６２は、映像データの制御指示と照明制御用赤外線信号との関連付けを変更する。具体的には、関連付け変更部１６２は、ユーザからの指示により、関連付け記憶部１８０に記憶された映像データの制御指示と照明制御用赤外線信号とを関連付けの内容を呼び出してこの関連付けを変更する。つまり、関連付けの選定仕様を変更することができる。
【０１２０】
なお、関連付け記憶部１８０で記憶された関連付けの内容をデータ化し、他の光投影装置３００Ｂの関連付け記憶部１８０に記憶できるようにしてもよい。
【０１２１】
以上、本変形例における光投影装置３００Ｂは、実施の形態２における光投影装置３００と同様の構成を備えるので、実施の形態２と同様の効果が得られる。つまり、光投影装置３００Ｂが設置された空間の照明環境を光投影装置３００Ａの動作に応じて簡単に変化させることができる。
【０１２２】
さらに、本変形例における光投影装置３００Ｂは、映像データの制御指示と照明制御用赤外線信号との関連付けを変更する関連付け変更部１６２を備えている。
【０１２３】
これにより、ユーザは、関連付け記憶部１８０に記憶された映像データの制御指示と照明制御用赤外線信号とを関連付けを所望に変更することができる。
【０１２４】
（その他の変形例）
以上、本発明に係る照明システム及び光投影装置について、実施の形態に基づいて説明したが、本発明は、上記の実施の形態に限定されるものではない。
【０１２５】
例えば、上記の各実施の形態及びその変形例において、光投影装置には１つの照明制御用赤外線信号送信部１４０しか設けられていなかったが、これに限るものではない。つまり、光投影装置は、照明制御用赤外線信号送信部１４０を複数備えていてもよい。これにより、照明制御用赤外線信号送信部１４０を複数備えることで、照明制御用赤外線信号の送信範囲を拡大することができる。例えば、２つの照明制御用赤外線信号送信部１４０を配置する場合、左右一対又は上下一対等、背向する位置に２つの照明制御用赤外線信号送信部１４０を配置するとよい。
【０１２６】
また、上記の各実施の形態及びその変形例において、光投影装置は、照明制御用赤外線信号送信部１４０の向きを変更するための可動部を備えていてもよい。これにより、照明制御用赤外線信号送信部１４０が照明装置２００に向くように照明制御用赤外線信号送信部１４０を動かすことができる。
【０１２７】
また、上記の各実施の形態及びその変形例において、照明制御用赤外線信号受信部１２０をケーブル接続により外部延長できるように構成されていてもよい。これにより、照明制御用赤外線信号受信部１２０をケーブルによって引き出すことができるので、ユーザは、照明制御用赤外線信号を光投影装置に受信させる受信作業を手元で簡単に行うことができる。
【０１２８】
また、上記の各実施の形態及びその変形例において、光投影装置が投影する映像光に対応する映像データは、外部から入力されるものであったが、これに限るものではなく、光投影装置内に予め記憶されたものであってもよい。
【０１２９】
その他、上記の実施の形態に対して当業者が思いつく各種変形を施して得られる形態、又は、本発明の趣旨を逸脱しない範囲で上記の実施の形態における構成要素及び機能を任意に組み合わせることで実現される形態も本発明に含まれる。
【符号の説明】
【０１３０】
１、１Ａ、２、２Ａ、２Ｂ  照明システム
１００、３００、３００Ａ、３００Ｂ  光投影装置
１１０  投影部
１２０  照明制御用赤外線信号受信部
１３０  照明制御用赤外線信号記憶部
１４０  照明制御用赤外線信号送信部
１５０  映像データ入力部
１６１  映像データ選択部
１６２  関連付け変更部
１８０  関連付け記憶部
１９０  映像データ記憶部
２００  照明装置
２０１  照明制御用リモコン
【図１】
2016225247.tif 000003
【図２】
2016225247.tif 000004
【図３Ａ】
2016225247.tif 000005
【図３Ｂ】
2016225247.tif 000006
【図４Ａ】
2016225247.tif 000007
【図４Ｂ】
2016225247.tif 000008
【図５】
2016225247.tif 000009
【図６】
2016225247.tif 000010
【図７】
2016225247.tif 000011
【図８Ａ】
2016225247.tif 000012
【図８Ｂ】
2016225247.tif 000013
【図９Ａ】
2016225247.tif 000014
【図９Ｂ】
2016225247.tif 000015
【図１０】
2016225247.tif 000016
【図１１】
2016225247.tif 000017